【手続補正書】
【提出日】平成27年1月23日(2015.1.23)
【手続補正１】
【補正対象書類名】特許請求の範囲
【補正対象項目名】全文
【補正方法】変更
【補正の内容】
【特許請求の範囲】
【請求項１】
物体側より像側へ順に、正の屈折力の第１レンズ群、負の屈折力の第２レンズ群、正の屈折力の第３レンズ群、正の屈折力の第４レンズ群から構成され、
広角端から望遠端へのズーミングに際して、前記第１レンズ群と前記第２レンズ群の間隔が大きくなり、前記第２レンズ群と前記第３レンズ群の間隔が小さくなるように各レンズ群が移動するズームレンズであって、
前記第１レンズ群と前記第２レンズ群と前記第３レンズ群は、それぞれ１枚の正レンズと１枚の負レンズより構成され、前記第４レンズ群は１枚の正レンズより構成され、
広角端と望遠端における全系の焦点距離をそれぞれｆｗ、ｆｔ、前記第１レンズ群と前記第２レンズ群の焦点距離をそれぞれｆ１、ｆ２とするとき、
６．０＜ｆ１／ｆｗ＜２０．０
０．０５＜｜ｆ２｜／ｆｔ＜０．４０
なる条件式を満足することを特徴とするズームレンズ。
【請求項２】
前記第３レンズ群に含まれる正レンズの材料のアッベ数をνｄ３ｐ、前記第３レンズ群に含まれる負レンズの材料のアッベ数をνｄ３ｎとするとき、
２０＜νｄ３ｐ−νｄ３ｎ＜７０
なる条件式を満足することを特徴とする請求項１に記載のズームレンズ。
【請求項３】
前記第３レンズ群に含まれる正レンズの焦点距離をｆ３ｐ、前記第３レンズ群に含まれる負レンズの焦点距離をｆ３ｎとするとき、
０．３＜ｆ３ｐ／ｆ３ｎ＜０．９
なる条件式を満足することを特徴とする請求項１又は２に記載のズームレンズ。
【請求項４】
前記第４レンズ群の焦点距離をｆ４とするとき、
０．２＜ｆ４／ｆｔ＜０．７
なる条件式を満足することを特徴とする請求項１乃至３のいずれか1項に記載のズームレンズ。
【請求項５】
広角端と望遠端における前記第２レンズ群の横倍率を各々β２ｗ、β２ｔ、広角端と望遠端における前記第３レンズ群の横倍率を各々β３ｗ、β３ｔとするとき、
０．１＜（β３ｔ／β３ｗ）／（β２ｔ／β２ｗ）＜２．５
なる条件式を満足することを特徴とする請求項１乃至４のいずれか1項に記載のズームレンズ。
【請求項６】
広角端から望遠端へのズーミングにおける前記第１レンズ群と前記第２レンズ群の移動量を各々ｍ１、ｍ２とするとき、
０．０５＜（ｍ１×ｍ２）／（ｆ１×ｆ２）＜０．６０
なる条件式を満足することを特徴とする請求項１乃至５のいずれか1項に記載のズームレンズ。
【請求項７】
前記第３レンズ群の焦点距離をｆ３とするとき、
１．６＜ｆ３／ｆｗ＜４．０
なる条件式を満足することを特徴とする請求項１乃至６のいずれか1項に記載のズームレンズ。
【請求項８】
広角端から望遠端へのズーミングにおける前記第２レンズ群の移動量をｍ２、前記第２レンズ群の光軸上の厚みをＤ２とするとき、
０．１＜Ｄ２／｜ｍ２｜＜３．０
なる条件式を満足することを特徴とする請求項１乃至７のいずれか1項に記載のズームレンズ。
【請求項９】
前記第２レンズ群と前記第３レンズ群の光軸上の厚みを各々Ｄ２、Ｄ３、広角端から望遠端へのズーミングにおける前記第２レンズ群と前記第３レンズ群の移動量を各々ｍ２、ｍ３とするとき、
０．０５＜（Ｄ２＋Ｄ３）／（｜ｍ２｜＋｜ｍ３｜）＜０．９０
なる条件式を満足することを特徴とする請求項１乃至８のいずれか１項に記載のズームレンズ。
【請求項１０】
広角端と望遠端における前記第２レンズ群の横倍率を各々β２ｗ、β２ｔとするとき、
１．８＜β２ｔ／β２ｗ＜７．０
なる条件式を満足することを特徴とする請求項１乃至９のいずれか１項に記載のズームレンズ。
【請求項１１】
前記第３レンズ群と前記第４レンズ群の焦点距離を各々ｆ３、ｆ４とするとき、
０．３５＜ｆ３／ｆ４＜０．８０
なる条件式を満足することを特徴とする請求項１乃至１０のいずれか１項に記載のズームレンズ。
【請求項１２】
前記第１レンズ群に含まれる負レンズの材料の屈折率をＮ１ｎとするとき、
１．７＜Ｎ１ｎ＜２．６
なる条件式を満足することを特徴とする請求項１乃至１１のいずれか１項に記載のズームレンズ。
【請求項１３】
前記第３レンズ群の光軸上の厚さをＤ３、望遠端におけるレンズ全長をＬｔとするとき、
０．００５＜Ｄ３／Ｌｔ＜０．０９０
なる条件式を満足することを特徴とする請求項１乃至１２のいずれか１項に記載のズームレンズ。
【請求項１４】
望遠端における前記第３レンズ群と前記第４レンズ群の横倍率を各々β３ｔ、β４ｔとするとき、
１．０＜（１−β３ｔ）／β４ｔ＜２．５
なる条件式を満足することを特徴とする請求項１乃至１３のいずれか１項に記載のズームレンズ。
【請求項１５】
固体撮像素子に像を形成することを特徴とする請求項１乃至１４のいずれか１項に記載のズームレンズ。
【請求項１６】
請求項１乃至１５のいずれか１項に記載のズームレンズと、該ズームレンズによって形成される像を受光する固体撮像素子とを有することを特徴とする撮像装置。
【手続補正２】
【補正対象書類名】明細書
【補正対象項目名】０００４
【補正方法】変更
【補正の内容】
【０００４】
一般にズームレンズにおいて全系の小型化を図りつつ、高解像力化を図るには軸上色収差と倍率色収差等の色収差を良好に補正すること、即ち色消しを良好に行うことが必要となる。ズームレンズにおいて軸上色収差と倍率色収差のズーミングに際しての変動を抑えるためには、各レンズ群単独で色消しを行うことが必要となる。そのため、多くのズームレンズでは各レンズ群を異なる材料よりなる正レンズと負レンズの２以上のレンズで構成している。
【手続補正３】
【補正対象書類名】明細書
【補正対象項目名】００１０
【補正方法】変更
【補正の内容】
【００１０】
本発明のズームレンズは、物体側より像側へ順に、正の屈折力の第１レンズ群、負の屈折力の第２レンズ群、正の屈折力の第３レンズ群、正の屈折力の第４レンズ群から構成され、
広角端から望遠端へのズーミングに際して、前記第１レンズ群と前記第２レンズ群の間隔が大きくなり、前記第２レンズ群と前記第３レンズ群の間隔が小さくなるように各レンズ群が移動するズームレンズであって、
前記第１レンズ群と前記第２レンズ群と前記第３レンズ群は、それぞれ１枚の正レンズと１枚の負レンズより構成され、前記第４レンズ群は１枚の正レンズより構成され、
広角端と望遠端における全系の焦点距離をそれぞれｆｗ、ｆｔ、前記第１レンズ群と前記第２レンズ群の焦点距離をそれぞれｆ１、ｆ２とするとき、
６．０＜ｆ１／ｆｗ＜２０．０
０．０５＜｜ｆ２｜／ｆｔ＜０．４０
なる条件式を満足することを特徴としている。
【手続補正４】
【補正対象書類名】明細書
【補正対象項目名】００１４
【補正方法】変更
【補正の内容】
【００１４】
本発明のズームレンズは、物体側より像側へ順に、正の屈折力の第１レンズ群、負の屈折力の第２レンズ群、正の屈折力の第３レンズ群、正の屈折力の第４レンズ群から構成されている。広角端から望遠端へのズーミングに際して、第１レンズ群と第２レンズ群の間隔が拡大し、第２レンズ群と第３レンズ群の間隔が縮小し、第３レンズ群と第４レンズ群の間隔が増大するように各レンズ群が移動する。第１レンズ群と第２レンズ群と第３レンズ群は、それぞれ１枚の正レンズと１枚の負レンズより構成され、第４レンズ群は１枚の正レンズより構成されている。
【手続補正５】
【補正対象書類名】明細書
【補正対象項目名】００３５
【補正方法】変更
【補正の内容】
【００３５】
各実施例において、さらに好ましくは次の諸条件のうちの１以上を満足するのが良い。第３レンズ群Ｌ３に含まれる正レンズの材料のアッベ数をνｄ３ｐ、第３レンズ群Ｌ３に含まれる負レンズの材料のアッベ数をνｄ３ｎとする。第３レンズ群Ｌ３に含まれる正レンズの焦点距離をｆ３ｐ、第３レンズ群Ｌ３に含まれる負レンズの焦点距離をｆ３ｎとする。第３レンズ群Ｌ３の焦点距離をｆ３とする。第４レンズ群Ｌ４の焦点距離をｆ４とする。広角端と望遠端における第２レンズ群Ｌ２の横倍率を各々β２ｗ、β２ｔとする。広角端と望遠端における第３レンズ群Ｌ３の横倍率を各々β３ｗ、β３ｔとする。
【手続補正６】
【補正対象書類名】明細書
【補正対象項目名】００３６
【補正方法】変更
【補正の内容】
【００３６】
広角端から望遠端へのズーミングにおける第１レンズ群Ｌ１と第２レンズ群Ｌ２と第３レンズ群の移動量を各々ｍ１、ｍ２、ｍ３とする。第２レンズ群Ｌ２と第３レンズ群Ｌ３の光軸上の厚みを各々Ｄ２、Ｄ３とする。第１レンズ群Ｌ１に含まれる負レンズの材料の屈折率をＮ１ｎとする。望遠端におけるレンズ全長をＬｔとする。望遠端における第４レンズ群Ｌ４の横倍率をβ４ｔとする。なお移動量の符号は物体側から像面側への移動を正、像面側から物体側への移動を負と定義する。
【手続補正７】
【補正対象書類名】明細書
【補正対象項目名】００３８
【補正方法】変更
【補正の内容】
【００３８】
２０＜νｄ３ｐ−νｄ３ｎ＜７０                              ・・・（３）
０．３＜ｆ３ｐ／ｆ３ｎ＜０．９                              ・・・（４）
０．２＜ｆ４／ｆｔ＜０．７                                  ・・・（５）
０．１＜（β３ｔ／β３ｗ）／（β２ｔ／β２ｗ）＜２．５      ・・・（６）
０．０５＜（ｍ１×ｍ２）／（ｆ１×ｆ２）＜０．６０          ・・・（７）
１．６＜ｆ３／ｆｗ＜４．０                                  ・・・（８）
０．１＜Ｄ２／｜ｍ２｜＜３．０                              ・・・（９）
０．０５＜（Ｄ２＋Ｄ３）／（｜ｍ２｜＋｜ｍ３｜）＜０．９０・・・（１０）
１．８＜β２ｔ／β２ｗ＜７．０                            ・・・（１１）
０．３５＜ｆ３／ｆ４＜０．８０                            ・・・（１２）
１．７＜Ｎ１ｎ＜２．６                                    ・・・（１３）
０．００５＜Ｄ３／Ｌｔ＜０．０９０                        ・・・（１４）
１．０＜（１−β３ｔ）／β４ｔ＜２．５                    ・・・（１５）
次に前述した条件式の技術的意味について説明する。
【手続補正８】
【補正対象書類名】明細書
【補正対象項目名】００６１
【補正方法】変更
【補正の内容】
【００６１】
２５＜νｄ３ｐ−νｄ３ｎ＜６０                              ・・・（３ａ）
０．４＜ｆ３ｐ／ｆ３ｎ＜０．８                              ・・・（４ａ）
０．２５＜ｆ４／ｆｔ＜０．６０                              ・・・（５ａ）
０．２＜（β３ｔ／β３ｗ）／（β２ｔ／β２ｗ）＜２．０      ・・・（６ａ）
０．１＜（ｍ１×ｍ２）／（ｆ１×ｆ２）＜０．５              ・・・（７ａ）
１．８＜ｆ３／ｆｗ＜３．５                                  ・・・（８ａ）
０．２＜Ｄ２／｜ｍ２｜＜２．０                              ・・・（９ａ）
０．１＜（Ｄ２＋Ｄ３）／（｜ｍ２｜＋｜ｍ３｜）＜０．７    ・・・（１０ａ）
２．１＜β２ｔ／β２ｗ＜６．０                            ・・・（１１ａ）
０．４＜ｆ３／ｆ４＜０．７                                ・・・（１２ａ）
１．７５＜Ｎ１ｎ＜２．４０                                ・・・（１３ａ）
０．０１０＜Ｄ３／Ｌｔ＜０．０７５                        ・・・（１４ａ）
１．３＜（１−β３ｔ）／β４ｔ＜２．２                    ・・・（１５ａ）
また、さらに好ましくは各条件式の数値範囲を次のごとく設定すると、先に述べた各条
件式が意味する効果を最大限に得られる。
【手続補正９】
【補正対象書類名】明細書
【補正対象項目名】００６２
【補正方法】変更
【補正の内容】
【００６２】
３０＜νｄ３ｐ−νｄ３ｎ＜５５                              ・・・（３ｂ）
０．５＜ｆ３ｐ／ｆ３ｎ＜０．７                              ・・・（４ｂ）
０．３０＜ｆ４／ｆｔ＜０．５５                              ・・・（５ｂ）
０．３＜（β３ｔ／β３ｗ）／（β２ｔ／β２ｗ）＜１．７      ・・・（６ｂ）
０．１５＜（ｍ１×ｍ２）／（ｆ１×ｆ２）＜０．４０          ・・・（７ｂ）
２．０＜ｆ３／ｆｗ＜３．０                                  ・・・（８ｂ）
０．２５＜Ｄ２／｜ｍ２｜＜１．３０                          ・・・（９ｂ）
０．１５＜（Ｄ２＋Ｄ３）／（｜ｍ２｜＋｜ｍ３｜）＜０．５０・・・（１０ｂ）
２．３＜β２ｔ／β２ｗ＜５．０                            ・・・（１１ｂ）
０．４５＜ｆ３／ｆ４＜０．６０                            ・・・（１２ｂ）
１．８＜Ｎ１ｎ＜２．３                                    ・・・（１３ｂ）
０．０２＜Ｄ３／Ｌｔ＜０．０６                            ・・・（１４ｂ）
１．５＜（１−β３ｔ）／β４ｔ＜２．０                    ・・・（１５ｂ）
各実施例によれば以上のように各構成要件を設定することにより、高ズーム比でズーム
範囲全体にわたり諸収差が良好に補正され、レンズ全長がコンパクトなズームレンズが得
られる。